(57)【要約】【課題】  移動通信システムにおける多重信号干渉除去装置及び方法を提供する。【解決手段】  無線チャンネルで伝送された信号を少なくとも一つのフィンガーを通じて受信し、前記フィンガーの各々は他のフィンガーで受信されるべき信号が含まれている信号を受信する移動通信システムで、任意のフィンガーで受信された信号から他のフィンガーで受信されるべき信号を取り除く方法において、前記任意のフィンガーで受信された信号のうち、前記任意のフィンガーで受信されるべき信号と他のフィンガーで受信されるべき信号との相関関係を減少させる過程と、前記任意のフィンガーで受信された信号から前記相関関係の減少した他のフィンガーで受信されるべき信号を取り除く過程と、を含むことを特徴とする。【選択図】  図３
2005130510.tif 000002
【特許請求の範囲】
【請求項１】
無線チャンネルで伝送された信号を少なくとも一つのフィンガーを通じて受信し、前記フィンガーの各々は他のフィンガーで受信されるべき信号が含まれている信号を受信する移動通信システムで、任意のフィンガーで受信された信号から他のフィンガーで受信されるべき信号を取り除く方法において、
前記任意のフィンガーで受信された信号のうち、前記任意のフィンガーで受信されるべき信号と他のフィンガーで受信されるべき信号との相関関係を減少させる過程と、
前記任意のフィンガーで受信された信号から前記相関関係の減少した他のフィンガーで受信されるべき信号を取り除く過程と、を含むことを特徴とする前記方法。
【請求項２】
前記相関関係を減少させる過程は、
前記フィンガーで受信された信号を結合する過程と、
前記結合信号を復調する過程と、
前記復調信号を変調する過程と、
前記変調信号を無線チャンネル環境を考慮して多重信号に変換する過程と、を含むことを特徴とする請求項１に記載の前記方法。
【請求項３】
前記結合信号を直交コードを用いて逆拡散することにより、前記信号を制御信号とデータ信号に区分する過程をさらに含むことを特徴とする請求項２に記載の前記方法。
【請求項４】
前記相関関係を減少させる過程を所定の回数だけ繰り返して行う過程をさらに含むことを特徴とする請求項２に記載の前記方法。
【請求項５】
前記所定の回数は２であることを特徴とする請求項４に記載の前記方法。
【請求項６】
前記相関関係が減少した他のフィンガーで受信されるべき信号を任意のフィンガーで受信された信号から取り除くことにより得られる信号を復号する過程をさらに含むことを特徴とする請求項１に記載の前記方法。
【請求項７】
無線チャンネルで伝送された信号を少なくとも一つのフィンガーを通じて受信し、前記フィンガーの各々は他のフィンガーで受信されるべき信号が含まれている信号を受信する移動通信システムで、任意のフィンガーで受信された信号から他のフィンガーで受信されるべき信号を取り除く装置において、
一定の時間間隔で信号を受信する複数のレーキ受信器フィンガーと、
特定のフィンガーで受信された信号のうち、前記特定のフィンガーのみで受信されるべき信号と他のフィンガーで受信されるべき信号との相関関係を減少させ、前記特定のフィンガーで受信された信号から前記相関関係の減少した他のフィンガーで受信されるべき信号を取り除く多重経路干渉除去器と、を含むことを特徴とする前記装置。
【請求項８】
前記複数のフィンガーで受信された信号を結合する結合器と、
前記結合信号のチャンネル区分のために逆拡散を行う逆拡散器と、をさらに含むことを特徴とする請求項７に記載の前記装置。
【請求項９】
前記多重経路干渉除去器は、
逆拡散信号を復調する復調部と、
前記復調信号を変調する変調部と、
前記変調信号と無線チャンネル状況を示す値を掛け算する掛け算器と、を含むことを特徴とする請求項7に記載の前記装置。
【請求項１０】
前記多重経路干渉除去器は、
前記掛け算器から伝えられた多重信号を伝送順序に応じて貯蔵する貯蔵装置をさらに含むことを特徴とする請求項９に記載の前記装置。
【請求項１１】
前記多重経路干渉除去器は前記相関関係を減少させる過程を所定の回数だけ繰り返して行うことを特徴とする請求項７に記載の前記装置。
【請求項１２】
前記所定の回数は２であることを特徴とする請求項１１に記載の前記装置。
【請求項１３】
前記相関関係が減少した他のフィンガーで受信されるべき信号を前記特定のフィンガーで受信された信号から取り除くことにより得られる信号を復号する復号部をさらに含むことを特徴とする請求項７に記載の前記装置。
【発明の詳細な説明】
【技術分野】
【０００１】
本発明は移動通信システムの多重経路探索に係り、特に、多重経路干渉成分を取り除くための装置及び方法に関する。
【背景技術】
【０００２】
移動通信システムの急速な発展及び前記移動通信システムでサービスするデータ量の急速な増加に応じてより高速のデータを伝送するための第３世代移動通信システムが開発されている。このような第３世代移動通信システムとしてヨーロッパは非同期方式である広帯域コード分割多重接続(Ｗ-ＣＤＭＡ：Wideband-Code Division Multiple Access、以下、“Ｗ-ＣＤＭＡ”とする)方式を、北米は同期方式であるコード分割多重接続-２０００(ＣＤＭＡ-２０００)方式を無線接続規格として標準化している。前記移動通信システムは、通常的に一つの基地局(Node B)を通じて多数の使用者端末機(ＵＥ:User Equipment)が通信するように構成される。しかしながら、前記移動通信システムで高速のデータを伝送するとき、無線チャンネル上で発生するフェーディング(fading)現象によって受信信号の歪みが発生する。前記フェーディング現象は受信信号の振幅を数dBから数十dBまで減少させる。したがって、フェーディング現象による歪み受信信号をデータの復調時に補償しない場合、送信側で伝送した送信データの情報エラーの原因となるため、移動通信サービスの品質を低下させる。したがって、移動通信システムで高速のデータをサービスの品質低下なしに伝送するためには、フェーディング現象を解決しなければならない。このために各種のダイバーシティ(Diversity)方式が用いられる。
【０００３】
一般に、ＣＤＭＡ方式では、チャンネル信号の遅延拡散を用いてチャンネル信号をダイバーシティ受信するレーキ(Rake)受信器を使用している。前記レーキ受信器は多重経路信号をダイバーシティ受信し、前記レーキ受信器の各フィンガーは一つの信号経路に割り当てられて復調を行う。一方、上述した遅延拡散を用いるダイバーシティ技法を適用したレーキ受信器は、遅延拡散が設定値より短い場合動作しない問題点がある。また、インターリビング(Interleaving)方式とコーディング(Coding)方式を用いる時間ダイバーシティ方式は一般にドップラー拡散(Doppler spread)チャンネルで用いられる。しかしながら、前記時間ダイバーシティ方式は低速のドップラー拡散チャンネルでは利用しにくいという問題点がある。
【０００４】
上述したように、前記多重経路フェーディングチャンネルの影響下にある移動受信環境で、信号は複数の経路を通じて相異なる時間遅延及び大きさで移動端末に受信される。前記受信信号を十分な大きさを有する信号に変換するために受信信号を組み合わせる必要がある。前記受信信号を組み合わせるためには、各経路の遅延時間及び減衰程度を推定できるアルゴリズムが必要である。
【０００５】
図１は、多重経路を通じてデータを受信する移動通信システムの受信器の構造を示した図である。以下、図１を用いて多重経路を通じてデータを受信する移動通信システムの受信構造を詳細に説明する。前記受信器は受信アンテナ１００、ＲＦ部１０２、アナログ/ディジタル(Ａ/Ｄ)変換部１０４、複数のフィンガー１０６〜１１０、結合器１１２、逆拡散器１１４、ダイバーシティ復号部１１６及びチャンネル復号部１１８などで構成されている。前記移動通信システムの受信構造は前記構成以外にも、他の構成を含むことができるが、本発明と関連して必要な構成のみを示した。
【０００６】
送信側から伝送された信号は受信アンテナ１００を通じて受信される。前記受信された信号はＲＦ部１０２を通じてＡ/Ｄ変換部１０４に伝えられる。前記Ａ/Ｄ変換部１０４は前記伝えられたアナログ信号をディジタル信号に変換する。前記複数のフィンガー１０６〜１１０は前記ディジタル信号を一定の時間間隔で分割し、前記分割信号は複数のフィンガー１０６〜１１０のうち、一つのフィンガーに伝えられる。前記一定の時間間隔をシンボル単位とし、フィンガーの個数をＮ(フィンガー１乃至フィンガーＮ)と仮定する。前記Ａ/Ｄ変換部１０４から伝えられた第１のシンボルはフィンガー１に、第２のシンボルはフィンガー２に伝えられる。第ＮのシンボルはフィンガーＮに、第(Ｎ+１)のシンボルはフィンガー１に伝えられる。すなわち、前記シンボルの各々を前記複数のフィンガーの各々に順次に一つずつ伝える過程を繰り返して行う。前記複数のフィンガー１０６〜１１０の各々は受信信号に対するチャンネル補償を行う。前記結合器１１２は前記複数のフィンガー１０６〜１１０から伝えられる信号を結合する。前記逆拡散器１１４は前記結合信号を逆拡散した後、ダイバーシティ復号部１１６に伝える。送信側は移動通信システムの伝送効率を高めるために複数の送信アンテナを用いて信号を伝送する。また、アンテナ別に伝送される信号に対して相異なる加重値を与えることにより、前記移動通信システムはダイバーシティ効果を向上させる。前記ダイバーシティ復号部１１６は前記加重信号に対する補償動作を行う。前記チャンネル復号部１１８は前記ダイバーシティ復号部１１６の出力信号に対する復号化過程を行う。
【０００７】
前記移動通信システムの変調方式としてはＱＰＳＫ(quadrature phase shift keying)のみならず、１６ＱＡＭ(quadrature amplitude modulation)を使用できる。前記１６ＱＡＭを無線チャンネル上で使用する場合、前記無線チャンネルは良好な品質状態を維持すべきである。したがって、高速のデータを伝送するとき多重経路環境で多重コードを用いて伝送する場合、性能低下を抑制するために多重経路干渉除去器を使用する。前記多重経路干渉除去器は自分の信号に対する多重経路干渉信号のみならず、セル内の他の信号による干渉信号も取り除く機能を行う。
【０００８】
図２は、一般的な多重経路干渉除去機能を有する移動通信システムの受信器の構造を示した図である。図２を参照すれば、前記受信器は受信アンテナ２００、ＲＦ部２０２、Ａ/Ｄ変換部２０４、フィンガー２０６、多重経路干渉除去器２０８、結合器２１０、逆拡散器２１２、ダイバーシティ復号部２１４及びチャンネル復号部２１６などで構成される。前記多重経路干渉除去機能を有する移動通信システムは図２の構成以外にも、他の構成を含むことができるが、本発明に関連して前記構成に限定して説明する。
【０００９】
送信側から伝送された信号は受信アンテナ２００を通じて受信される。前記受信された信号はＲＦ部２０２を通じてＡ/Ｄ変換部２０４に伝えられる。前記Ａ/Ｄ変換部２０４は伝えられたアナログ信号をディジタル信号に変換した後、前記フィンガー２０６に伝える。図２には一つのフィンガーのみを示したが、前記レーキ受信器が複数のフィンガーで構成されていることは明らかである。各フィンガーは受信された信号に対するチャンネル補償を行う。前記多重経路干渉除去器２０８は前記各フィンガーから伝えられた信号のうち、多重経路による干渉信号を取り除く。すなわち、一つのフィンガーで受信される信号は前記フィンガーで受信されるべき信号以外に、他のフィンガーで受信されるべき信号も含む。このような現象は特定の時間区間の信号が無線チャンネルの特性上、複数の時間区間で繰り返して伝えられるため発生し、これにより一つの時間区間では複数の信号が受信される。したがって、前記多重経路干渉除去器は各フィンガーで受信される信号から他のフィンガーの信号成分を取り除く。
【００１０】
前記結合器２１０は前記多重経路干渉除去器２０８から伝えられた干渉信号成分の取り除かれた信号を結合する。前記ダイバーシティ復号部２１４は前記結合信号を送信側のダイバーシティ暗号化形態に応じて復号化する。前記チャンネル復号部２１６は前記ダイバーシティ復号部２１４から伝えられた信号に対するチャンネル復号化を行う。
【００１１】
図２に示した多重経路干渉除去器２０８は特定のフィンガーの受信信号成分から他のフィンガーの受信信号成分を取り除くために、簡単な減算過程のみを行う。すなわち、前記受信端のフィンガーの個数が８であれば、前記８個のフィンガーのうち、一番目のフィンガー(フィンガー１)で受信された信号から他のフィンガーに対する信号成分は次の式(1)のように取り除かれる。
【００１２】
【数１】
2005130510.tif 000003
【００１３】
ここで、f(x)は前記多重経路干渉除去器がフィンガー１に対する信号から他のフィンガーに対する信号成分を取り除いた後、出力する信号である。前記f(1)はフィンガー１で受信された信号を示し、前記f(2，1)はフィンガー１で受信された信号のうち、フィンガー２と関連した信号成分を示す。前記f(3，1)はフィンガー１で受信された信号のうち、フィンガー３と関連した信号成分を示し、前記f(8,1)はフィンガー１で受信された信号のうち、フィンガー８と関連した信号成分を示す。
【００１４】
式(1)からわかるように、前記多重経路干渉除去器は特定のフィンガーの受信信号を求めるために他のフィンガー成分を単純に減算する演算過程を行う。しかしながら、前記各任意のフィンガーで受信される信号は互いに相関関係を有するため、上述したような単純減算過程のみで前記任意のフィンガーで受信されるべき信号を正確に推定することはできない。したがって、上述した問題点を解決するための方案が必要である。
【発明の開示】
【発明が解決しようとする課題】
【００１５】
従来の技術の問題点を解決するための本発明の目的は、各フィンガーで受信される信号の相関関係を減少させる特定のアルゴリズムに対する具現装置及び方法を提供することにある。
本発明の他の目的は、一つの構成で同じ動作を繰り返して行うことにより、ハードウェアのサイズを減少させうる装置及び方法を提供することにある。
さらに、本発明の他の目的は、ハードウェアのサイズを減少させることにより、不必要な電力浪費を減少させうる装置及び方法を提供することにある。
【課題を解決するための手段】
【００１６】
上記の目的を達成するための本発明は、無線チャンネルで伝送された信号を少なくとも一つのフィンガーを通じて受信し、前記フィンガーの各々は他のフィンガーで受信されるべき信号が含まれている信号を受信する移動通信システムで、任意のフィンガーで受信された信号から他のフィンガーで受信されるべき信号を取り除く方法において、前記任意のフィンガーで受信された信号のうち、前記任意のフィンガーで受信されるべき信号と他のフィンガーで受信されるべき信号との相関関係を減少させる過程と、前記任意のフィンガーで受信された信号から前記相関関係の減少した他のフィンガーで受信されるべき信号を取り除く過程と、を含むことを特徴とする。
【００１７】
さらに、上記の目的を達成するための本発明は、無線チャンネルで伝送された信号を少なくとも一つのフィンガーを通じて受信し、前記フィンガーの各々は他のフィンガーで受信されるべき信号が含まれている信号を受信する移動通信システムで、任意のフィンガーで受信された信号から他のフィンガーで受信されるべき信号を取り除く装置において、一定の時間間隔で信号を受信する複数のレーキ受信器フィンガーと、特定のフィンガーで受信された信号のうち、前記特定のフィンガーのみで受信されるべき信号と他のフィンガーで受信されるべき信号との相関関係を減少させ、前記特定のフィンガーで受信された信号から前記相関関係の減少した他のフィンガーで受信されるべき信号を取り除く多重経路干渉除去器と、を含むことを特徴とする。
【発明の効果】
【００１８】
本発明によれば、複数のフィンガーで受信される信号に対する相関関係を減少させることにより、送信端で伝送した信号を正確に推定することができる。また、一つのフィンガーが受信する信号のうち、自局に割り当てられたチャンネルコードと割り当てられないチャンネルコードで変調された信号成分の相関関係を減少させることにより、送信端で伝送した信号をより正確に復号化する。さらに、レーキ受信過程と多重経路干渉除去過程を一つの構成で繰り返して行うことにより、前記ハードウェアのサイズを減少させうる。
【発明を実施するための最良の形態】
【００１９】
以下、本発明の好ましい実施例を添付図面に参照して詳細に説明する。本発明の説明において、関連した公知機能又は構成に対する具体的な説明は本発明の要旨を明瞭にするために省略する。
図３は、本発明による多重経路干渉除去器で多重経路干渉を取り除く移動通信システムの受信器の構造を示した図である。
【００２０】
図３を参照すれば、アナログ/ディジタル変換部(図示せず)は受信アンテナを通じて受信されたアナログ信号をディジタル信号に変換した後、レーキ受信器フィンガー(フィンガー)３００に伝える。図３には一つのフィンガーのみを示したが、少なくとも二つ以上のフィンガーで構成されることが明らかであり、８個のフィンガーで構成されることが一般的である。前記フィンガー３００は貯蔵装置、ディスクランブラー(De-scrambler)及びチャンネル補償器を含む。前記フィンガー３００は伝えられた信号で最適の値を探索し、前記探索信号を一定の時間間隔で貯蔵する。各フィンガーは前記探索信号を貯蔵するための貯蔵装置を備えるが、前記各フィンガーの貯蔵装置は一つの貯蔵装置を共有することもできる。例えば、前記フィンガーの数が８(フィンガー１乃至フィンガー８)であれば、前記フィンガー１には第１の区間(time period)で受信された信号が貯蔵される。また、前記フィンガー２には第２の区間で受信された信号が貯蔵され、前記フィンガー８には第８の区間で受信された信号が貯蔵される。第９の区間で受信された信号は第1のフィンガーに貯蔵され、第１０の区間で受信された信号は第２のフィンガーに貯蔵される。上述したように、前記８個のフィンガーには受信された信号が一定の区間単位で順次に貯蔵される。本発明の実施例に応じて前記一定の区間単位は受信信号のチップのサイズと同じであるか、使用者の選択によって調節が可能なのは明らかである。以下、前記第１の区間乃至第８の区間で受信された信号を処理する過程を説明する。
【００２１】
上述したように、少なくとも２以上の区間で送信した信号が一つの区間で受信される。したがって、各区間で特定の区間で送信した信号が検出されるべきである。しかしながら、相異なる区間で受信された信号は相関関係を有するため、単純に特定のフィンガーで受信された信号に含まれている他のフィンガーの信号成分を取り除くために前記他のフィンガーの信号成分を減算する過程を実行できない。すなわち、前記各フィンガーから受信された信号に対する相関関係を除去するか、減少させた後、特定のフィンガーで受信された信号に含まれている他のフィンガーの信号を取り除く。以下、前記特定のフィンガーで受信された信号に含まれている他のフィンガーの信号を取り除く過程を説明する。
【００２２】
前記ディスクランブラーは各フィンガーによる貯蔵装置からデータを読み出し、その読み出しデータに対してディスクランブル過程を行う。前記ディスクランブル過程は送信側で使用する１次のスクランブルコードと２次のスクランブルコードとを用いる。前記チャンネル補償器はチャンネル予測値を用いて無線チャンネル環境の歪みを補償する。前記チャンネル予測値は共通パイロットチャンネル(Common Pilot Channel:ＣＰＩＣＨ)を用いて求められる。結合器３０２は前記８個のフィンガーから伝えられた歪みの補償された信号を結合する。
【００２３】
前記逆拡散器３０４は送信側で使用した拡散コードを用いて前記結合信号を逆拡散することにより、チャンネルを区分する。前記ダイバーシティ復号部３０６は送信側のダイバーシティ状態をチェックし、そのダイバーシティ状態に応じてダイバーシティ復号化過程を行う。前記ダイバーシティ復号化過程が行われた信号のうち、データ信号は多重信号干渉除去器３０８に伝えられ、制御信号はチャンネル復号部３２０に伝えられる。すなわち、前記ダイバーシティ復号部３０６から出力されるデータ信号は１以上の多重経路干渉除去動作を実行した後、復調過程が行われる。前記ダイバーシティ復号部３０６から出力されるデータ信号はＨＳ-ＤＳＣＨ(high-speed downlink shared channel)としてチャンネル復号部３２０に伝えられ、前記ダイバーシティ復号部３０６から出力される制御信号はＨＳ-ＳＣＣＨ(high-speed shared control channel)としてチャンネル復号部３２０に伝えられる。
【００２４】
本発明の実施例によれば、前記逆拡散器３０４は１６個の直列形態に区分したチャンネル成分を前記ダイバーシティ復号部３０６に出力する。前記１６個のチャンネル成分を一定の時間間隔で一つのダイバーシティ復号部３０６に伝えることにより、一つの構成で前記１６個のチャンネルに対してダイバーシティ補償を行える。前記多重信号干渉除去器３０８に対する詳細な動作を図４に参照して説明する。前記多重信号干渉除去器３０８は干渉成分を取り除くことにより、各フィンガーで受信される信号間の連関関係を減少させる。
【００２５】
相関関係が減少した前記各フィンガーの受信信号を用いて復号化過程を行えるが、本発明では前記多重信号干渉除去過程を繰り返して行うことにより、前記各フィンガーで受信される信号間の連関関係をさらに減少させうる。以下、第２のレーキ受信器フィンガー(フィンガー)３１０、第２の結合器３１２、第２の逆拡散器３１４、第２のダイバーシティ復号部３１６及び第２の多重信号干渉除去器３１８の動作は、フィンガー３００、結合器３０２、逆拡散器３０４、ダイバーシティ復号部３０６及び多重信号干渉除去器３０８における動作と同じである。
【００２６】
前記多重信号干渉除去器３０８，３１８を通じて多重信号干渉除去過程が行われた後、前記多重信号干渉除去器３１８から多重信号成分が取り除かれた信号はフィンガー３００に伝えられる。本発明の実施例では、前記多重信号干渉除去器３０８，３１８によって二回の多重信号干渉除去過程が行われる。前記多重信号干渉除去過程の回数は使用者の選択に応じて設定されるが、所定の回数を超える場合、前記伝えられた信号の処理にかかる時間が増えるという短所がある。したがって、使用者は前記受信された信号に対する多重成分除去程度、処理時間及びシステムの使用クロック周波数などを考慮して前記所定の回数を設定しなければならない。
【００２７】
前記二回の多重信号干渉除去過程を実行した前記各フィンガー３００の受信信号は結合器３０２、逆拡散器３０４及びダイバーシティ復号部３０６を通じて前記チャンネル復号部３２０に伝えられる。前記チャンネル復号部３２０は前記伝えられたデータ信号に対するチャンネル復号化を行う。
【００２８】
図４は、本発明による多重信号干渉除去器３０８,３１８の構成を示した図である。
図４を参照すれば、制御部４００は受信されたデータ信号で使用した拡散コードを検出する。前記受信された信号で使用した拡散コードを認知している場合、前記制御部４００は制御信号を通じて認知した復調方式に関する情報を復調部４０２に伝える。前記復調部４０２は前記復調方式に対する情報を用いて前記受信されたデータ信号に対する復調過程を行う。変調部４０４は前記復調過程を実行した前記データ信号を変調し、ダイバーシティ暗号部４０６は前記変調信号に対して送信側で使用するダイバーシティと同じ方式でダイバーシティ暗号化を行う。掛け算器４０８は前記受信端におけるチャンネル補償の逆動作を行う。すなわち、前記掛け算器４０８は前記無線チャンネル上で発生する歪みを掛け算する。前記無線チャンネル上で発生する歪みは無線チャンネルの状態に応じて複数個が存在する。一つの送信信号が複雑な無線チャンネル環境で多重信号として受信端に伝えられる。したがって、前記掛け算器４０８は複雑な無線チャンネル環境を考慮して複数の信号を出力する。このような過程を通じて前記受信端は送信端の送信信号を正確に推定することができる。
【００２９】
前記掛け算器４０８で複雑な無線チャンネル環境を考慮した受信信号は送信端で行われる動作を行う。拡散部４１０は前記信号を拡散コードを用いて拡散し、スクランブラー４１２は前記拡散信号を第１及び第２のスクランブルコードを用いてスクランブルする。前記拡散コードと第１及び第２のスクランブルコードは送信端で使用するものと同じである。前記チャンネル拡散及びスクランブル過程による変調シンボルは多重経路間の干渉信号を取り除くための経路間の相関関係が減少する。
【００３０】
制御部４１４は各構成で発生する利得を調節する。貯蔵装置４１６は前記各経路による受信信号を順次に伝える。すなわち、前記掛け算器４０８は一つの結合信号を無線チャンネル状況を考慮して多重経路の信号に変換し、前記出力信号を一定の処理過程を通じて前記貯蔵装置４１６に貯蔵する。このような貯蔵信号は各多重経路間の相関関係が減少している。
【００３１】
干渉除去器４１８は前記貯蔵装置４１６に貯蔵されている信号と前記フィンガー３００のバッファに貯蔵されている信号との差を求め、前記差に該当する値を出力する。次の数２は前記干渉除去器４１８の動作を式(2)で表現する。
【００３２】
【数２】
2005130510.tif 000004
【００３３】
前記f’(x)は前記干渉除去器４１８から出力される値を示し、(f’(2,1)+f’(3,1)+．．．+f’(8,1))は前記貯蔵装置４１６に貯蔵されている相関関係の減少した信号成分を示す。前記f’(2，1)はフィンガー１で受信される相関関係の減少したフィンガー２の信号成分を示し、前記f’(3，1)はフィンガー１で受信される相関関係の減少したフィンガー３の信号成分を示す。式(2)は８個のフィンガーを有するレーキ受信器のうち、フィンガー１の受信信号に対する干渉除去過程を説明する。フィンガー２乃至フィンガー８で受信される信号も式(2)と同じ方式で干渉が取り除かれる。
【００３４】
図５は、本発明による移動通信システムで多重信号干渉を取り除くための受信器の構造を示した図である。図３で一つの多重信号干渉除去器は多重信号干渉除去過程を一回だけ行うが、図５では一つの多重信号干渉除去器が多重信号干渉除去過程を複数回行う。前記多重信号干渉除去過程を２回行う場合、一つの受信信号はフィンガー５００から多重信号干渉除去器５０８まで２回繰り返して処理され、ダイバーシティ復号部５０６までは３回繰り返して処理される。図３に示したフィンガー３００は所定の時間に受信された信号のみを貯蔵するが、フィンガー５００は前記受信信号のみならず、多重経路干渉除去過程を実行した信号を貯蔵する。多重経路干渉除去過程を２回行う場合、データ貯蔵動作がフィンガー５００で３回発生する。すなわち、前記貯蔵過程は、前記受信信号を貯蔵する過程、一番目の多重経路干渉除去過程を行う信号を貯蔵する過程及び二番目の多重経路干渉除去過程を行う信号を貯蔵する過程をいう。以下、表１は図３及び図５を具現するために必要な掛け算器の個数を示す。
【００３５】
【表１】
2005130510.tif 000005
【００３６】
図６は、本発明による多重信号干渉除去機能を有する移動通信システムの受信端における動作を示した図である。
図６を参照すれば、ステップ６００で、前記受信端はαとβ値を設定する。前記αは多重信号干渉除去過程を行う回数を示し、前記βは多重信号干渉除去過程を行った回数を示す。ここで、前記αはＮｒ、前記βは０に設定される。
【００３７】
ステップ６０２で、前記受信端はレーキ受信過程をフィンガー３００(又は５００)乃至ダイバーシティ復号部３０６(又は５０６)を通して行う。ステップ６０４で、前記受信端はβがＮｒより小さいかを比べる。その比較結果、前記βがＮｒより小さければ、ステップ６０６に進み、前記βがＮｒより大きいか、同じであれば、ステップ６１０に進行する。ステップ６０６で、前記受信端は多重信号干渉除去過程を図４を参照して説明した方式で行う。ステップ６０８で、前記受信端は前記βに１を加算した後、ステップ６０２に戻る。ステップ６１０で、前記受信端は復号化過程を実行した後、ステップ６１２に進行して過程を終了する。
【００３８】
以上、本発明を具体的な実施形態に参照して詳細に説明したが、各種の変形が特許請求の範囲により限定される本発明の思想及び範囲を逸脱しない限り、本発明の技術分野における通常の知識を持つ者により可能なのは明らかである。
【図面の簡単な説明】
【００３９】
【図１】多重経路を有する移動通信システムの受信端の構造を示した図。
【図２】多重経路を有する移動通信システムの任意のフィンガーから多重経路干渉信号成分を取り除く過程を示した図。
【図３】本発明による多重経路を有する移動通信システムの任意のフィンガーから多重経路干渉信号成分を取り除くための構成を示した図。
【図４】図３の多重信号干渉除去器の構造を示した図。
【図５】本発明による多重経路を有する移動通信システムの任意のフィンガーから多重経路干渉信号成分を取り除くための構成を示した他の図。
【図６】本発明による多重経路干渉信号成分を取り除く受信端における動作を示した図。
【符号の説明】
【００４０】
３００    フィンガー
３０２    結合器
３０４    逆拡散器
３０６    ダイバーシティ復号部
３０８    多重経路干渉除去器
３１０    第２のフィンガー
３１２    第２の結合器
３１４    逆拡散器
３１６    第２のダイバーシティ復号部
３１８    第２の多重信号干渉除去器
３２０    チャンネル復号部
４００    制御部
４０２    復調部
４０４    変調部
４０６    ダイバーシティ暗号部
４０８    掛け算器
４１０    拡散部
４１２    スクランブラー
４１４    制御部
４１６    貯蔵装置
４１８    干渉除去器
５００    フィンガー
５０２    結合器
５０４    逆拡散器
５０６    ダイバーシティ復号部
５０８    多重経路干渉除去器
５１０    ダイバーシティ復号部
【図１】
2005130510.tif 000006
【図２】
2005130510.tif 000007
【図３】
2005130510.tif 000008
【図４】
2005130510.tif 000009
【図５】
2005130510.tif 000010
【図６】
2005130510.tif 000011
【外国語明細書】
2005130510.tif 000012
2005130510.tif 000013
2005130510.tif 000014
2005130510.tif 000015
2005130510.tif 000016
2005130510.tif 000017
2005130510.tif 000018
2005130510.tif 000019
2005130510.tif 000020
2005130510.tif 000021
2005130510.tif 000022
2005130510.tif 000023
2005130510.tif 000024
2005130510.tif 000025
2005130510.tif 000026
2005130510.tif 000027
2005130510.tif 000028
2005130510.tif 000029
2005130510.tif 000030
2005130510.tif 000031
2005130510.tif 000032
2005130510.tif 000033